(57)【要約】      （修正有）【課題】ディスクの回転等によって発生する振動に対するフィードシャーシの耐震性を向上させることが可能なディスク装置を提供する。【解決手段】ディスクをその着脱位置と再生位置との間で前後に移動するディスクトレイ１６０と、ディスクトレイを支持及び案内するローディングシャーシ１２０と、ディスクを回転させるターンテーブルや光ディスクを再生するためのピックアップなどが設けられ、回動軸を中心に該回動軸より前方の前記ターンテーブルや光ピックアップなどが設けられた部分が下降位置と上昇位置との間で変位するようになっているフィードシャーシ２２０と、これらを収納するケーシング３６０と、を有するディスク装置において、ディスクトレイの移動方向に直交する方向であるフィードシャーシの左右方向の最大幅が、ケーシングの左右方向の幅とほぼ等しくなっている。【選択図】図２
2008262688.tif 000002
【特許請求の範囲】
【請求項１】
ディスクを載置可能に構成され、該ディスクをディスク着脱位置とディスク再生位置との間で前後に移動するディスクトレイと、
前記ディスクトレイの移動の際、該ディスクトレイを支持及び案内するローディングシャーシと、
ディスクを回転させるターンテーブルや光ディスクを少なくとも再生させるためのピックアップなどが設けられ、回動軸を中心に該回動軸より前方の前記ターンテーブルや光ピックアップなどが設けられた部分が下降位置と上昇位置との間で変位するようになっているフィードシャーシと、
前記フィードシャーシに設けられた前記ターンテーブルや光ピックアップなどの制御を行うメイン回路基板と、
これらを収納するケーシングと、を有するディスク装置において、
前記ディスクトレイの移動方向に直交する方向である前記フィードシャーシの左右方向の最大幅が、前記ケーシングの左右方向の幅とほぼ等しくなっていることを特徴とするディスク装置。
【請求項２】
前記ローディングシャーシは、前記ディスク装置の前方半分の部分に収容可能なサイズ及び形状に形成されていることを特徴とする請求項１に記載のディスク装置。
【請求項３】
前記フィードシャーシは、金属板材によって形成されたベースプレートを有していることを特徴とする請求項１または２に記載のディスク装置。
【請求項４】
前記ベースプレートは、前記フィードシャーシの回動軸の後方に後方張り出し部を有し、該後方張り出し部に、前記フィードシャーシの回動軸より前方部分とのバランスをとるためのウエイトが設けられていることを特徴とする請求項１ないし３のいずれかに記載のディスク装置。
【請求項５】
前記ベースプレートは、さらに、前方張り出し部と、左右側張り出し部とを有する略十字形をなしており、前記左右側張り出し部が前記ローディングシャーシの後方に位置していることを特徴とする請求項４に記載のディスク装置。
【請求項６】
前記ベースプレートの前方張り出し部に前記ターンテーブルと、該ターンテーブルを回転させるためのスピンドルモータが設けられていることを特徴とする請求項５に記載のディスク装置。
【請求項７】
前記ベースプレートは、略中央部に、前記ピックアップを移動可能に配設するための開口を有しており、また前記左右側張り出し部のいずれか一方には、前記光ピックアップを駆動するためのモータが設けられており、他方の張り出し部には、前記モータとのバランスをとるためのウエイトが設けられていることを特徴とする請求項４ないし６に記載のディスク装置。
【請求項８】
前記フィードシャーシの回動軸は、前記ベースプレートの左右側張り出し部のほぼ後部近傍に位置していることを特徴とする請求項４ないし７のいずれかに記載のディスク装置。
【請求項９】
前記左右側張り出し部の後部は、それぞれ、弾性材料により形成されたインシュレータにより支持されており、該インシュレータの弾性変形を介して、前記フィードシャーシの前記ターンテーブルや光ピックアップなどが設けられた部分が下降位置と上昇位置との間で変位するようになっており、これらのインシュレータを結ぶ線がほぼ前記フィードシャーシの回動軸をなしていることを特徴とする請求項８に記載のディスク装置。
【請求項１０】
前記インシュレータは、それぞれ、前記メイン回路基板の左右に設けられた一対のフィードシャーシ支持部材に支持されていることを特徴とする請求項９に記載のディスク装置。
【請求項１１】
前記フィードシャーシのベースプレートの前方張り出し部は、前記ローディングシャーシに回動可能に設けられ、前記ディスクトレイを駆動するローディング機構により回動する回動フレームにより支持されていることを特徴とする請求項４ないし１０のいずれかに記載のディスク装置。
【発明の詳細な説明】
【技術分野】
【０００１】
本発明は、ディスク状の記録媒体の再生や記録を行なうためのディスク装置の構造に関する。
【背景技術】
【０００２】
ディスク装置は、例えばコンパクトディスクやＣＤ−ＲＯＭのようなディスク状の記録媒体の信号面（記録面）にレーザービームを照射し、該信号面にスパイラル状に形成された多数のビットにより記録された情報を、レーザービームの反射光における光強度の変化を通じて再生する装置であり、例えばＣＤプレーヤやＣＤ−ＲＯＭドライブ、ＣＤ−Ｒドライブ、ＤＶＤドライブなどが含まれる。
【０００３】
このようなディスク状の記録媒体の再生や記録を行なうディスク装置が本願出願人より出願されている（特開平１０−２９３９３２）。図２７及び図２８は、それぞれこの出願に係るディスク装置１Ｂの構造を示す斜視図及び分解斜視図である。
【０００４】
これらの図に示すように、ディスク装置１Ｂは、ケーシング１０のボトムカバー１０ａと全幅及び奥行きがほぼ同一のプリント回路基板１１と、該プリント回路基板１１の上側に設けられ、前記ボトムカバー１０ａと全幅及び奥行きがほぼ同一の略四角の枠形状を有するシャーシ４０とを有しており、それらがケーシング１０のボトムカバー１０ａ及びアウターカバー１０ｂに収納される構造になっている。そして、シャーシ４０の底部４０ａに形成されたほぼ長方形の開口４１内に、ディスク３を載置するターンテーブル４６が設けられたディスク駆動用のスレッドモータ４５ｂや、ディスク３の再生や記録を行なうための光ピックアップ３０などが設けられた機構ユニット４２が設けられている。
【０００５】
また、前記シャーシ４０には、ディスク３を外部からケーシング１０内へと搬送するためのディスクトレイ５が前後方向に摺動可能に設けられている。
【発明の開示】
【発明が解決しようとする課題】
【０００６】
上記従来のディスク装置１Ｂは、ディスクトレイ排出機構と、ディスク駆動部分をなす機構ユニット４２と、ディスクトレイ５と、プリント回路基板１１のすべてがシャーシ４０によって支持されるようになっている。
【０００７】
そして、前記各部品を支持するための強度が必要になることから、このディスク装置１Ｂは、シャーシ４０が、図２８に示すように、ケーシング１０のボトムカバー１０aの周囲を囲む枠状の構造となっているとともに、シャーシ４０がケーシング１０内の大部分の容積を占めるような構造となっている。
【０００８】
そのため、このシャーシ４０の内部に収納される機構ユニット４２等の各部品は、形状の制限が多くなり、設計の自由度が少なくなっている。
【０００９】
また、一般に、ディスク装置に設けられている機構ユニットは、大型化することにより、外部からの振動および自ら発生する振動の影響を減少させることが可能であるが、上記従来のディスク装置１Ｂは、シャーシ４０がケーシング１０内の大部分の容積を占めているため、機構ユニット４２の前記振動の影響の減少を図ることが困難な構造であった。
【課題を解決するための手段】
【００１０】
上記問題点に鑑み、本発明のディスク装置は、ディスクを載置可能に構成され、該ディスクをディスク着脱位置とディスク再生位置との間で前後に移動するディスクトレイと、前記ディスクトレイの移動の際、該ディスクトレイを支持及び案内するローディングシャーシと、ディスクを回転させるターンテーブルや光ディスクを少なくとも再生させるためのピックアップなどが設けられ、回動軸を中心に該回動軸より前方の前記ターンテーブルや光ピックアップなどが設けられた部分が下降位置と上昇位置との間で変位するようになっているフィードシャーシと、前記フィードシャーシに設けられた前記ターンテーブルや光ピックアップなどの制御を行うメイン回路基板と、これらを収納するケーシングと、を有するディスク装置とし、前記ディスクトレイの移動方向に直交する方向である前記フィードシャーシの左右方向の最大幅を前記ケーシングの左右方向の幅とほぼ等しくすることも可能であり、そのような構造を用いることにより、ディスクの回転等によって発生する振動に対するフィードシャーシの耐震性を向上させることが可能となる。
また、この場合、前記ローディングシャーシは、前記ディスク装置の前方半分の部分に収容可能なサイズ及び形状に形成されていることが好ましい。
【００１１】
また、前記構造を用いる際には、前記フィードシャーシを金属板材によって形成するとともに、該ベースプレートが、前記フィードシャーシの回動軸の後方に後方張り出し部を有するように構成し、該後方張り出し部に、前記フィードシャーシの回動軸より前方部分とのバランスをとるためのウエイトを設けることが好ましい。
【００１２】
また、前記ベースプレートをさらに前方張り出し部と、左右側張り出し部とを有する略十字形をなすように構成し、前記左右側張り出し部が前記ローディングシャーシの後方に位置せしめるとともに、前記ベースプレートの前方張り出し部に前記ターンテーブルと、該ターンテーブルを回転させるためのスピンドルモータを設けることが好ましい。
【００１３】
また、前記ベースプレートは、略中央部に、前記ピックアップを移動可能に配設するための開口を有しており、また前記左右側張り出し部のいずれか一方には、前記光ピックアップを駆動するためのモータが設けられており、他方の張り出し部には、前記モータとのバランスをとるためのウエイトが設けられていることが好ましく、このような構造を用いることにより、フィードシャーシの重量をさらに増加させ、耐震性を向上させることが可能となる。
【００１４】
また、前記フィードシャーシの回動軸は、前記ベースプレートの左右側張り出し部のほぼ後部近傍に位置させることが可能であり、そのような構造を用いることにより、フィードシャーシの安定性を向上させることが可能となる。
【００１５】
また、前記左右側張り出し部の後部が、それぞれ、弾性材料により形成されたインシュレータにより支持されており、該インシュレータの弾性変形を介して、前記フィードシャーシの前記ターンテーブルや光ピックアップなどが設けられた部分が下降位置と上昇位置との間で変位するようになっており、これらのインシュレータを結ぶ線がほぼ前記フィードシャーシの回動軸をなしていることが好ましく、そのような構造を用いることにより、フィードシャーシの耐震性を向上させることが可能となる。
【００１６】
また、前記インシュレータを、それぞれ、前記メイン回路基板の左右に設けられた一対のフィードシャーシ支持部材に支持されるようにし、前記フィードシャーシのベースプレートの前方張り出し部を、前記ローディングシャーシに回動可能に設けられ、前記ディスクトレイを駆動するローディング機構により回動する回動フレームにより支持されるようにすることも可能である。
【００１７】
本発明の他の目的、構成および効果は、図面を参照して行う以下の実施形態の説明から、より明らかとなるであろう。
【発明の効果】
【００１８】
以上説明したように、本発明によれば、従来のディスク装置と比較し、シャーシがケーシング内に占める容積の割合を例えば半分以下に減少させることが可能となるため、他の部品の設計の自由度を増やすことが可能となる。
【発明を実施するための最良の形態】
【００１９】
以下、本発明のディスク装置の好適実施形態について、添付図面に基づいて詳細に説明する。
【００２０】
図１は、本発明に係るディスク装置１Ａの実施形態の全体構成を示す斜視図であり、図２は、このディスク装置１Ａの分解斜視図である。
【００２１】
図１及び図２に示すように、本発明のディスク装置１Ａは、ＣＤ−ＲＯＭ、音楽用ＣＤ、ＤＶＤ等のディスク１００の再生や記録を行なうための装置であって、主に、ローディングシャーシ１２０と、ディスク１００を載置するディスク載置部１６２を有し、前記ローディングシャーシ１２０に対し、前後方向に移動し、後述するディスク着脱位置とディスク再生位置との間を移動するディスク搬送用のディスクトレイ１６０と、前記ローディングシャーシ１２０の後方下部に配設されたメイン回路基板（以下、「回路基板」とする。）２００と、ディスク１００を載置するターンテーブル２８０やディスク１００の再生や記録を行なうための光ピックアップ２５０などが設けられたフィードシャーシ２２０と、前記フィードシャーシ２２０を上昇位置と下降位置との間で回動させるための回動フレーム３４０と、前記ローディングシャーシに設けられた前記ディスクトレイ１６０及び前記回動フレーム３４０を作動させるローディング・カム機構４６０と、これらを収納するケーシング３６０とによって構成されている。
【００２２】
図３は、ケーシング３６０のアウターカバー３６２を取り除いたディスク装置１Ａの平面図であり、同図には、ディスクトレイ１６０がディスク着脱位置にあり、フィードシャーシ２２０が下降位置にある状態が示されている。
【００２３】
図４は、図３に示されたディスク装置１Ａの右側からの側面図であり、図４（ａ）には、前記図３と同様に、ディスクトレイ１６０がディスク着脱位置にあり、フィードシャーシ２２０が下降位置にある状態が示されており、図４（ｂ）には、ディスクトレイ１６０が再生位置にあり、フィードシャーシ２２０が上昇位置にある状態が示されている。
【００２４】
以下、各構成部品の具体的構成をそれぞれ詳細に説明する。
【００２５】
ケーシング３６０は、図２に示すように、ディスク装置１Ａの底面を覆うボトムカバー３８０と、該ボトムカバー３８０の上部に設けられ、ディスク装置１Ａの上面、左右の側面及び後面を覆うアウターカバー３６２と、ディスク装置１Ａの前面を覆うフロントベゼル３９０とによって構成されている。
【００２６】
ボトムカバー３８０は、略長方形の金属板材によって形成されており、図４及び図５（ａ）に示すように、前側（図５（ａ）の上側）の左右の縁部に、後述するローディングシャーシ１２０の係合突起１４４（図１３参照）と係合する係合孔３８４を有する折り曲げ片３８２が左右各々２箇所ずつ設けられている。また、ボトムカバー３８０の後側の左右の縁部には、図８（ａ）及び（ｂ）に示すように、後述するフィードシャーシ２２０の後部を支持するためのフィードシャーシ支持部材４００Ｒ・Ｌを設けるための取付け部３８６が形成されている。また、図５（ａ）に示すように、このボトムカバー３８０の後方に設けられる回路基板２００の対角上の２箇所に相当する位置には、回路基板２００をボトムカバー３８０に固定するための回路基板固定部３８８が半球状に突出するように設けられており、この回路基板固定部３８８によって回路基板２００がボトムカバー３８０上に所定の間隔をおいて固定されるようになっている。また、この回路基板固定部３８８には、回路基板２００のアース端子（図示せず）が接続されており、このアース端子によって回路基板２００上に発生する電源ノイズが低減されるようになっている。また、図示されていないが、回路基板２００の裏面に設けられているＩＣ等の発熱部品が位置する箇所には、放熱シートが設けられており、この放熱シートを介して発熱部品からの熱がケーシング３６０へと伝達し、放熱が行われるようになっている。
【００２７】
アウターカバー３６２は、前記ボトムカバー３８０と同様に金属板材によって形成されており、図６に示すように、天板部３６４、右側板部３６６、左側板部３６８、後板部３７０の４面によって構成されている。
【００２８】
また、アウターカバー３６２の天板部３６４の裏面（内面）には、ディスククランパ３７６が回転可能に設けられている。ディスククランパ３７６は、後述するターンテーブル２８０（図１８（ａ）参照）に設けられた永久磁石２８４に吸着され、ターンテーブル２８０との間でディスク１００を挟持するようになっており、ターンテーブル２８０の回転軸２４２と同一の回転軸で回転するようになっている。
【００２９】
また、ディスククランパ３７６の後方には、図６（ａ）及び図７に示されているように、天板部３６４に略コの字状の切り込みを入れ、その切り込みの内側部分をディスク載置部１６２側に折り曲げることによって形成されたディスクストッパ３７２が設けられている。このディスクストッパ３７２は、前記天板部３６４の面に垂直に立設されており、ディスクトレイ１６０が再生位置に到達した際に、図７（ｂ）に示すように、後述するディスクトレイ１６０の開口１６４の上方であって、ディスク１００の外周部からやや離間した位置に位置するようになっている。なお、ディスクストッパ３７２は、図７（ａ）及び（ｂ）に示すように、ディスクトレイ１６０の移動の妨げとならない位置に設けられている。
【００３０】
ところで、ディスク装置が搭載されたデスクトップＰＣ等の機器を、ディスク１００の回転軸の方向が鉛直方向となる「横置き」ではなく、ディスク１００の回転軸の方向が水平方向となる「縦置き」で設置して使用する際に、ディスク１００が回転したままの状態で、ディスククランパ３７６から離脱した場合、回転した状態のディスク１００がディスクトレイ１６０のディスク載置部１６２から外れ、ケーシング３６０内を転がり、図７（ｄ）に示すようにケーシング３６０の奥に移動してしまい、ディスクトレイ１６０をイジェクトした際に、ディスク１００がケーシング３６０内に取り残されてしまうことがある。
【００３１】
前記ディスクストッパ３７２は、このようなディスク１００のケーシング３６０の奥への移動を防止する。すなわち、ディスク１００がディスクトレイ１６０のディスク載置部１６２から離脱した場合には、図７（ｃ）に示されているように、ディスク１００の外周部が該ディスクストッパ３７２に当接するようになっており、ディスク１００がディスクストッパ３７２を越えて奥に移動しないようになっている。それにより、ディスク１００がディスク載置部１６２から離脱した場合であっても、ディスク１００がディスク装置１Ａの内部に取り残されることを防止することができるようになっている。
【００３２】
本発明では、このディスクストッパ３７２をディスクトレイ１６０ではなくアウターカバー３６２に設けることにより、ディスクトレイ１６０の形状を複雑化することなくディスク１００のディスクトレイ１６０から離脱したディスク１００がケーシング３６０内に取り残されることを確実に防止することが可能となっている。なお、本発明ではディスクストッパ３７２をアウターカバー３６２と一体に設けているが、本実施形態に限らず、ディスクストッパ３７２は、アウターカバー３６２に対して別部材で構成することも可能である。また、このディスクストッパ３７２は必ずしも本実施形態のようにアウターカバー３６２に設ける必要はない。
【００３３】
また、アウターカバー３６２の天板部３６４のフロントベゼル３９０側の端面には、後述するディスクトレイ１６０が図３及び図４（ａ）に示すディスク着脱位置に位置する際に、ディスクトレイ１６０に設けられたディスクトレイ排出位置規制突起１７２（図１５参照）に当接し、ディスクトレイ１６０の排出位置を規制するための突起部３７８が設けられている。
【００３４】
また、アウターカバー３６２の後板部３７０の内側の面（内壁面）には、図６（ｂ）や図１７に示すように、後述するディスクトレイ１６０の係合部１９２と係合し、ディスクトレイ１６０の後端をケーシング３６０に対して支持及び位置決めする一対の被係合部３７４が設けられている。なお、この被係合部３７４は、本実施形態のようにアウターカバー３６２と一体に設けるほか、別の部材をアウターカバー３６２に取り付けることによって形成することも可能である。
【００３５】
前記フロントベゼル３９０は、樹脂によって成形されており、図２に示すように、ディスクトレイ１６０を取り出すためのイジェクトボタン３９２や、後述するエマージェンシー排出機構を使用する際に治具を挿入するための挿入孔３９４等が設けられている。また、このフロントベゼル３９０の開口３９６からディスクトレイ１６０が出し入れされるようになっており、この開口３９６はディスクトレイ１６０の前面に設けられるディスクトレイカバー３９８によって閉じられるようになっている。
【００３６】
前記ボトムカバー３８０の後方の左右両側には、図５（ａ）及び図８に示すように、前記フィードシャーシ２２０の両側を支持する一対のフィードシャーシ支持部材４００Ｒ・Ｌがそれぞれ設けられている。これらのフィードシャーシ支持部材４００Ｒ・Ｌは、それぞれ、硬質樹脂等によって形成されている。また、前記フィードシャーシ支持部材４００Ｒ・Ｌの各上面には、図８に示すように、フィードシャーシ２２０を後述する弾性部材５４０を介して取り付けるための突部４０２が垂直に立設されている。
【００３７】
フィードシャーシ支持部材４００Ｒには、図５及び図８（ａ）に示すように、回路基板２００を取り付ける際に回路基板２００に設けられた案内凹部２０２Ｒ（図９参照）と係合し、該回路基板２００を案内するための案内突条４０４Ｒが設けられている。
【００３８】
フィードシャーシ支持部材４００Ｌには、図５及び図８（ｂ）に示すように、回路基板２００に設けられた案内凹部２０２Ｌ（図９参照）と係合し、回路基板２００を案内するための案内突条４０４Ｌと、回路基板２００の左側の端部を差し込むことにより、回路基板２００を固定及び支持するための係合凹部４０６が設けられている。
【００３９】
また、フィードシャーシ支持部材４００Ｒ・Ｌには、図５（ａ）及び図８に示すように、前述したボトムカバー３８０に形成された取付け部３８６と係合し、各フィードシャーシ支持部材４００Ｒ・Ｌをボトムカバー３８０に取り付けるための係合突起４０８が設けられている。
【００４０】
回路基板２００は、図９に示すような略四角形の両面基板であり、コンピュータ本体と接続するためのインターフェイスコネクタや、マイクロプロセッサ、メモリ、モータドライバ等の各種ＩＣや、抵抗、コンデンサ、スイッチ等の各種電子部品が実装されている（図示せず）。そして、これらを介して後述するスピンドルモータ２４０、ローディングモータ４６２、スレッドモータ３００や光ピックアップ２５０等の制御を行なうようになっている。
【００４１】
前記モータドライバ等の発熱性のＩＣは、放熱を配慮して、回路基板２００裏面に設けられており、ボトムカバー３８０に接着された放熱シート（図示せず）を介してケーシング３６０へと放熱するようになっている。
【００４２】
また、この回路基板２００は、ボトムカバー３８０の後半部分に完全に収納されるようになっており、フロントベゼル３９０とは離れた位置にあることから、フロントベゼル３９０に設けられるイジェクトボタン３９２等の操作スイッチを回路基板２００に電気的に接続するため、回路基板２００とは機構的に独立した操作スイッチ用基板４２０が図２に示すように回路基板２００にＦＦＣ（フレキシブル・フラット・ケーブル）４３０によって電気的に接続されている。
【００４３】
この操作スイッチ用基板４２０には、図１０に示すように、後述するディスクトレイ１６０の開閉を判断するためのディスクトレイ開閉スイッチ４２２（ディスクトレイ開スイッチ４２４、ディスクトレイ閉スイッチ４２６）や、ディスクトレイ１６０をイジェクトするためのイジェクトスイッチ４２８等が設けられている。
【００４４】
さらに、この回路基板２００の左右の縁部には、図９に示すように、前述したフィードシャーシ支持部材４００Ｒ・Ｌに設けられている案内突条４０４Ｒ・Ｌと係合する案内凹部２０２Ｒ・Ｌと、後述するＦＦＣ挟持部材４４０の回路基板２００からの離脱を防止する離脱防止孔２０８と、回路基板２００にボトムカバー３８０の回路基板固定部３８８にネジ結合するための孔部２１０が設けられている。
【００４５】
また、この回路基板２００には、図２に示すように、光ピックアップ２５０と回路基板２００とを接続し、各種信号を送受信するためのＦＦＣ２０４が設けられている。このＦＦＣ２０４は、図１１（ａ）に示すように、回路基板２００の上面のローディングシャーシ１２０側において、外側に向かって延出するように半田付けされており、図１１（ａ）及び（ｂ）に示すように、一度回路基板２００の端部にて折り返した後に、光ピックアップ２５０に接続されている。
【００４６】
ここで、折り返した後のＦＦＣ２０４が光ピックアップ２５０の移動の障害となることを防止するため、ＦＦＣ２０４の折り返した部分を回路基板２００に固定する樹脂製のＦＦＣ挟持部材４４０が設けられている。
【００４７】
このＦＦＣ挟持部材４４０は、図１１及び図１２に示すように、回路基板２００の上面、下面にそれぞれ当接する上部片４４２、下部片４４４と、前記上部片４４２及び下部片４４４を連結するための連結部４４６とで構成されている。なお、これらは樹脂によって一体に成形されている。
【００４８】
このＦＦＣ挟持部材４４０の上部片４４２には、ＦＦＣ２０４の折り返した部分が上部片４４２に押圧され、過度に折り曲げられることによる導線の切断等の不具合を防止するため、ＦＦＣ２０４の幅とほぼ同一の幅を有する透孔４４８（図１１（ｂ）参照）が設けてあり、このＦＦＣ２０４の折り返した部分をこの透孔４４８内に位置せしめることによって、折り返した部分が上部片４４２によって無理に押圧されないようになっている。また、前記下部片４４４は、図１２（ａ）に示すように前記透孔４４８とほぼ同一の形状に成形されている。
【００４９】
また、この上部片４４２の下面には、回路基板２００に設けられた離脱防止孔２０８に係合し、回路基板２００からＦＦＣ挟持部材４４０が離脱することを防止する一対の離脱防止突起４５０が設けられている。これらの離脱防止突起４５０により、ＦＦＣ挟持部材４４０は、回路基板２００に対して位置決めされ、ＦＦＣ挟持部材４４０に外力が加わった際にもＦＦＣ挟持部材４４０が回路基板２００から離脱しないようになっている。
【００５０】
なお、このＦＦＣ挟持部材４４０は、金属等によって成形することも可能であり、その際には回路のショートを防止するため、表面に絶縁被覆を施すことが好ましい。また、離脱防止突起４５０は、下部片４４４に設けることも可能であり、その際にも上部片４４２に設けた場合と同様の効果を享受することが可能である。
【００５１】
前記ボトムカバー３８０に取り付けられているローディングシャーシ１２０は、硬質樹脂等で一体成形されたブロックであり、図２及び図１３（ａ）に示されているように、回動フレーム３４０を収納するための回動フレーム収納スペース１２４や、ローディング・カム機構４６０を収納するための収納部１３４が設けられた底部１２２と、この底部１２２の左右の縁部に沿って立設された壁部１４２とから構成されている。また、このローディングシャーシ１２０は、ボトムカバー３８０の前半部分のスペースに完全に収納されるような形状及びサイズに設計されている。
【００５２】
また、このローディングシャーシ１２０の前方及び後方には、前記底部１２２の左右に設けられているような壁部が形成されておらず、開放された状態になっている。そして、ローディングシャーシ１２０がケーシング３６０内に組み込まれた際に、このローディングシャーシ１２０の前方の開放部分がケーシング３６０に取り付けられたフロントベゼル３９０の開口３９６と整合し、前記開口３９６を介してディスクトレイ１６０が出し入れされるようになっている。
【００５３】
また、ローディングシャーシ１２０の底部１２２の上面には、図１３（ａ）に示されているように、後述するディスクトレイ１６０の左右両側に延出された段部１６６Ｒ・Ｌ（図１５参照）の上面を支持するための上面支持部材１３６と、ディスクトレイ１６０の底面に設けられたガイド溝１７４Ｒ・Ｌ（図１６参照）と係合するガイド突起１３８と、前記ディスクトレイ開閉スイッチ４２２のためのスイッチ孔１４０とが設けられている。そして、この上面支持部材１３６及びガイド突起１３８により、ディスクトレイ１６０のローディングシャーシ１２０に対する上下方向への移動が規制されるとともに、前後方向の案内が行われるようになっている。
【００５４】
また、図１３に示すように、ローディングシャーシ１２０の底部１２２の左右の側面には、前述したボトムカバー３８０に設けられた係合孔３８４（図４及び図５（ａ）参照）と係合する係合突起１４４が各々２箇所ずつ設けられている。この計４箇所の係合突起１４４が前記ボトムカバー３８０の係合孔３８４に係合することにより、ローディングシャーシ１２０がボトムカバー３８０に固定される。
【００５５】
前記ローディングシャーシ１２０の底部１２２の後方（回路基板２００側）には、図１３（ａ）に示すように、回動フレーム収納スペース１２４をなす凹部が設けられている。この回動フレーム収納スペース１２４の内壁面１２６には、図１３（ａ）に示すように、ボトムカバー３８０の底面に垂直に延びる上下案内溝１３２が設けられている。また、ローディングシャーシ１２０の底部１２２の前方（フロントベゼル３９０側）には、前述したローディング・カム機構４６０の収納部１３４が設けられている。この収納部１３４には、図２２に示すように、後述するローディング・カム機構４６０のカムホイール４８４等が設けられ、また、上下案内溝１３２には、後述する回動フレーム３４０の第２ガイドピン３４８（図１４参照）が係合するようになっている。
【００５６】
また、図１３（ａ）に示すように、この回動フレーム収納スペース１２４の左右側面１２６には、後述する回動フレーム３４０の左右の軸３５８Ｒ・Ｌを支持するための軸受け部１３０Ｒ・Ｌが設けられている。
【００５７】
図２に示すように、前記ローディングシャーシ１２０の後方の回動フレーム収納スペース１２４には、後に詳述するフィードシャーシ２２０を回動させるための回動フレーム３４０が設けられている。
【００５８】
回動フレーム３４０は、図１４に示すように、前記ローディングシャーシ１２０と同様に樹脂によって成形されており、前記ローディングシャーシ１２０の回動フレーム収納スペース１２４の軸受け部１３０Ｒ・Ｌ（図１３（ａ）参照）に回動可能に支持されている。そして、この回動フレーム３４０の回動によって、後述するフィードシャーシ２２０の前方張り出し部２２４（図１８（ａ）参照）が、ターンテーブル２８０上にディスク１００が支持される上昇位置（図４（ｂ）参照）と、該上昇位置より下方の下降位置（図４（ａ）参照）との間で変位するようになっている。
【００５９】
より詳しく説明すると、回動フレーム３４０は、図１４に示すような略コの字型の部材であり、ローディングシャーシ１２０の底部１２２の回動フレーム収納スペース１２４の左右側面に沿うように設けられた一対のアーム３４２Ｒ・Ｌと、該アーム３４２Ｒ・Ｌの前端部同士を連結する連結部３４４と、前記アーム３４２Ｒ・Ｌの間に連結部３４４に沿って形成された板状のフィードシャーシ支持部３５２とを備えている。
【００６０】
そして、前記連結部３４４の前方には、図１４に示すように、第１、第２ガイドピン３４６、３４８及び突出片３５６が設けられており、該アーム３４２Ｒ・Ｌの左右の側面には、一対の押圧部材３５０Ｒ・Ｌ及び軸３５８Ｒ・Ｌが突設されている。さらに、前記フィードシャーシ支持部３５２には、一対の突部３５４Ｒ・Ｌが垂直に突設されている。
【００６１】
前記第１ガイドピン３４６は、ローディングシャーシ１２０に設けられた後述するローディング・カム機構４６０のカムホイール４８４のカム部４８６に設けられたカム溝５００と係合する突起である。そして、この第１ガイドピン３４６がカムホイール４８４に案内されることによって、回動フレーム３４０の前方が軸３５８Ｒ・Ｌを中心に上昇位置と下降位置との間で上下方向に回動するとともに、フィードシャーシ２２０も上下方向に回動するようになっている。
【００６２】
前記第２ガイドピン３４８は、ローディングシャーシ１２０の回動フレーム収納スペース１２４の内壁面１２６に設けられた上下案内溝１３２（図１３（ａ）参照）に係合し、回動フレーム３４０が回動する際の回動フレーム３４０の左右方向の変位を規制する。
【００６３】
また、前記突出片３５６は、前記回動フレーム３４０が前記上昇位置に位置する際に、前記ローディング・カム機構４６０に用いられるカムホイール４８４のロック片５１２と係合し、回動フレーム３４０を上昇位置にて固定する（図１４及び図２２参照）。
【００６４】
前記押圧部材３５０Ｒ・Ｌは、前記回動フレーム３４０が上昇位置に位置する際に、前記ディスクトレイ１６０の底面の一部を上側に向かって押圧することにより、ディスクトレイ１６０の前方を支持するための部材である。なお、この押圧部材３５０がディスクトレイ１６０を押圧する際には、この押圧部材３５０が弾性変形した状態でディスクトレイ１６０の底面に当接するようになっており、この押圧部材３５０の復元力によってディスクトレイ１６０が上方に向かって押圧支持されるようになっている。
【００６５】
前記軸３５８Ｒ・Ｌは、前述したように、前記回動フレーム３４０の前方が上昇位置と下降位置との間で上下方向に回動する際の回動軸となる突起であり、図１４（ａ）及び（ｃ）に示すように、前記アーム３４２Ｒ・Ｌの左右の側面の後方部において該側面に垂直に突設されている。そして、この軸３５８Ｒ・Ｌは、前述したように、前記ローディングシャーシ１２０の底部１２２の側面１２６に設けられた軸受け部１３０Ｒ・Ｌに支持され、この軸受け部１３０Ｒ・Ｌを中心に回動するようになっている。
【００６６】
前記フィードシャーシ支持部３５２に設けられている突部３５４Ｒ・Ｌは、前記フィードシャーシ支持部材４００Ｒ・Ｌに設けられた突部４０２と同一形状の突起であり、前記フィードシャーシ２２０を弾性部材（インシュレータ）５４０（図２１参照）を介して支持するための部材である。
【００６７】
ディスクトレイ１６０は、図１、図１５及び図１６に示すように、浅い凹状のディスク載置部１６２を有しており、ディスク１００は、このディスクトレイ１６０のディスク載置部１６２に載置され、所定位置に位置規制された状態でケーシング３６０内のディスク再生位置まで搬送される。
【００６８】
また、このディスク載置部１６２のほぼ中央から後方に向かって開口１６４が形成されており、この開口１６４を通じて後述するターンテーブル２８０が上昇するとともに、光ピックアップ２５０による再生や記録が行われるようになっている。また、前述したように、ディスクトレイ１６０の長手方向の左右の側部には段部１６６Ｒ・Ｌが前後方向に形成されており、この段部１６６Ｒ・Ｌが前記ローディングシャーシ１２０の上面支持部材１３６Ｒ・Ｌと係合し、ディスクトレイ１６０を摺動時に前後方向に案内するようになっている。
【００６９】
また、ディスク載置部１６２の周囲の４箇所には、このディスク装置１Ａを縦置きした際に、ディスク載置部１６２からのディスク１００の離脱を防止するため、図１５（ａ）に示すように、ディスク保持片１６８が設けられている。各ディスク保持片１６８は、ゴム等の軟質素材で略小判型に成形された部材であり、その一方の端部となる支持端１７０がディスクトレイ１６０に対して回動可能に取り付けられている。そして、この支持端１７０を中心にディスク保持片１６８を回動させることにより、ディスク保持片１６８の先端部をディスク載置部１６２側に突出させたり、後退させたりすることが可能となっている。そして、これらのディスク保持片１６８の先端部をディスク載置部１６２側に突出させることにより、載置されたディスク１００がディスク載置部１６２から離脱することを防止できるようになっている。
【００７０】
また、ディスクトレイ１６０のディスク載置部１６２の後方には、図１５（ａ）ないし（ｃ）に示すように、ディスクトレイ排出位置規制突起１７２が設けられている。このディスクトレイ排出位置規制突起１７２は、ディスクトレイ１６０がディスク排出位置に到達した際に、アウターカバー３６２のフロントベゼル３９０側に突設された突起部３７８に当接し（図６参照）、ディスクトレイ１６０のディスクトレイ排出位置規制突起１７２より後側の部分がケーシング３６０の外側に排出されないようになっている。
【００７１】
図１６（ａ）及び（ｂ）に示すように、ディスクトレイ１６０の底面の左右両側には、ローディングシャーシ１２０の底部１２２の左右に突設されたガイド突起１３８とそれぞれ係合するガイド溝１７４Ｒ・Ｌが前後方向に形成されており、さらにガイド溝１７４Ｌに沿ってディスクトレイ１６０の前後方向に延びる直線状のラックギア１９６が形成されている。
【００７２】
また、図１６（ａ）及び（ｂ）に示すように、ディスクトレイ１６０の底面の前記開口１６４の前方には、後述するローディング・カム機構４６０のカムホイール４８４の規制ピン５０８と係合する規制溝１７６が設けられている。この規制溝１７６は、前記ラックギア３１２と平行に伸びる第１規制溝１７８と、この第１規制溝１７８に対してほぼ４５度の角度で傾斜する第２規制溝１８０と、この第２規制溝１８０に接続され、カムホイール４８４の規制ピン５０８の回動の動きに沿って円弧状に伸びる第３規制溝１８２とから構成されている。また、前記第１規制溝の開放端部１８４は、後述するカムホイール４８４の規制ピン５０８を確実に第１規制溝１７８へと案内するためにＶ字状に広がっている。
【００７３】
また、ディスクトレイ１６０の底面の後方には、図１５（ｃ）及び図１６（ｂ）に示すように、第１リブ１８６が、前方には、第２リブ１８８が設けられている。そして、第１リブ１８６によって後述するスイッチアーム５２０を介してディスクトレイ開スイッチ４２４の操作がなされ、第２リブ１８８によって後述するカムホイール４８４のフック５１６のロックの解除が行われるようになっている。この機構については、後述するローディング・カム機構４６０の説明時に詳述する。
【００７４】
また、ディスクトレイ１６０の後端には、図１５及び図１６に示すように、一対の後部支持部１９０がこのディスクトレイ１６０と一体に設けられている。この後部支持部１９０は、このディスク装置１Ａでは、ディスクトレイ１６０の支持案内を主にこのディスクトレイ１６０の前方下部に設けられたローディングシャーシ１２０で行なっており、ディスクトレイ１６０が図４（ｂ）に示す再生位置に位置する際には、ローディングシャーシ１２０がディスクトレイ１６０の前方部分のみを支持するようになっており、ディスクトレイ１６０の後部の支持が不十分となることから、ディスクトレイ１６０の後部をアウターカバー３６０の後板部３７０を利用して支持かつ位置決めするために設けられている。
【００７５】
この後部支持部１９０は、前記アウターカバー３６２に設けられた前記一対の被係合部３７４と係合し、ディスクトレイ１６０の後端をアウターカバー３６２に固定する係合部１９２と、この係合部１９２と被係合部３７４とが当接する際の衝撃を吸収するとともに、該係合部１９２と被係合部３７４とを確実に当接させるため、ディスクトレイ１６０に対して前後方向に撓む板バネ状の弾性部１９４とからなっている。なお、この弾性部１９４は、必ずしも本実施形態のように板バネ状に形成する必要はなく、必要に応じてコイルバネ等の他の種類のバネを使用して形成することも可能である。
【００７６】
前記係合部１９２の後端は、図１７に示されているように、上下方向に並ぶ凹凸が設けられており、この凹凸がディスクトレイ１６０の収納時に図１７（ｂ）に示すように、前記被係合部３７４の凹凸と係合し、ディスクトレイ１６０の後端をアウターカバー３６２に対して支持かつ位置決めするようになっている。なお、上記ディスクトレイ１６０の後部支持部１９０とアウターカバー３６０の被係合部３７４とで、本発明の「支持手段」をなしている。
【００７７】
前記ローディングシャーシ１２０の後方には、図２に示すように、ディスク１００の回転時にディスク１００を支持し、その回転中心となるターンテーブル２８０やディスク１００の再生や記録を行うための光ピックアップ２５０などを備えたフィードシャーシ２２０が設けられている。
【００７８】
より詳しく説明すると、フィードシャーシ２２０は、図１８及び図１９に示すように、金属板材よって形成されたベースプレート２２２と、ターンテーブル回転用のスピンドルモータ２４０と、該スピンドルモータ２４０の回転軸２４２に固定されたターンテーブル２８０と、光ピックアップ２５０と、該光ピックアップ２５０をディスク１００の半径方向に移動するスライド送り機構としての光ピックアップ移動機構２７４とを備えている。
【００７９】
前記ベースプレート２２２は、図１８及び図１９に示されているように、好ましくは金属板材を打ち抜き加工等によって前方張り出し部２２４、右側張り出し部２２６、左側張り出し部２２８、後方張り出し部２３０の４つの突出部を有する略十字型に形成されたものであり、その略中心部に光ピックアップ２５０及び光ピックアップ移動機構２７４を設けるための開口２３２が設けられている。
【００８０】
また、図１８に示すように、ベースプレート２２２の前方張り出し部２２４の２箇所、右側張り出し部２２６及び左側張り出し部２２８の各々１箇所の計４箇所に、ベースプレート２２２の振動を吸収する弾性部材５４０を設けるための切り欠き２３４が設けられている。
【００８１】
また、このディスク装置１Ａでは、図３に示すように、ベースプレート２２２の左右方向の最大幅を、ボトムカバー３７０の左右方向の最大幅とほぼ等しくしており、前記右側張り出し部２２６及び左側張り出し部２２８が前記ローディングシャーシ１２０の後方に位置するようになっている。そして、そのような構造を用いることによりフィードシャーシ２２０の重量が増加し、ディスク１００の回転により発生するフィードシャーシ２２０の振動を抑制することが可能となっている。
【００８２】
また、このフィードシャーシ２２０は、前述した４箇所の切り欠き２３４に取り付けられた後述する弾性部材５４０によって前記回動フレーム３４０に設けられた突部３５４（図１４（ａ）参照）及び前記フィードシャーシ支持部材４００Ｒ・Ｌに設けられた突部４０２（図８参照）に固定されており、フィードシャーシ支持部材４００Ｒ・Ｌに設けられた弾性部材５４０の弾性変形により、弾性部材５４０を中心に回動フレーム３４０の回動に伴い、下降位置（図４（ａ）参照）と上昇位置（図４（ｂ）参照）との間で回動するようになっている。
【００８３】
また、フィードシャーシ２２０の後方張り出し部２３０には、図１７及び図１８に示すように、ディスクトレイ１６０が着脱位置から再生位置に移動する時にディスクトレイ１６０の底面に当接し（図１７（ａ）参照）、ディスクトレイ１６０の後端を上方へ案内するための案内バネ２３６と、フィードシャーシ２２０の前後の重心の位置を調節するためのウエイト（鉄板）２３８が設けられている。
【００８４】
なお、前記案内バネ２３６は、ディスクトレイ１６０が再生位置にある状態では、図１７（ｂ）に示すように、フィードシャーシ２２０の回動によりディスクトレイ１６０と離間した位置に位置するようになっており、フィードシャーシ２２０に発生した振動が、この案内バネ２３６によってディスクトレイ１６０へと伝達することがないようになっている。
【００８５】
前記スピンドルモータ２４０は、図１８（ｂ）及び図１９（ａ）に示すように、ベースプレート２２２の前方張り出し部２２４の裏側にネジによって結合されており、スピンドルモータ２４０の回転軸２４２は、フィードシャーシ２２０及びケーシング３６０の左右の中心とほぼ一致するように設けられている。
【００８６】
また、このスピンドルモータ２４０からは、図１９（ａ）に示すように、その制御用信号を入出力するためのＦＦＣ２４６が延出し、回路基板２００に設けられたＦＦＣコネクタに接続されている。
【００８７】
前記ターンテーブル２８０は、円盤状の部材であって、その中心部には、図１８（ａ）及び（ｂ）に示すように、リング状突部よりなるセンターハブ２８２が突出形成されている。このセンターハブ２８２は、ディスク１００の中心孔１０２に嵌合するものであり、嵌合の際の位置ズレを吸収するために、先端部から基端部にかけてテーパーが形成されている。また、このセンターハブ２８２の内側であって前記スピンドルモータ２４０の回転軸２４２の周囲には、前記ディスククランパ３７６を吸着するためのリング状の永久磁石２８４（図１８（ａ）参照）が設けられている。
【００８８】
また、ターンテーブル２８０の上面側（ディスク１００を挟持する側）のセンターハブ２８２の周囲の部分には、図１８（ａ）及び（ｂ）に示すように、リング状のパッド２８６が接着されている。このパッド２８６は、各種ゴム、軟質樹脂、多孔質材料（発泡体）のような、弾性を有し、摩擦係数の比較的大きな材料で構成することが好ましく、それにより、ディスククランパ３７６との間でディスク１００を挟持して回転させる際にディスク１００の滑りを防止する機能を有する。
【００８９】
前記フィードシャーシ２２０には、さらに、ディスク１００からデータを読み出しあるいはディスク１００にデータを書き込むための光ピックアップ２５０をディスク１００の半径方向に移動させるスライド送り機構として構成された光ピックアップ移動機構２７４が設けられている。
【００９０】
この光ピックアップ移動機構２７４は、図１８（ｂ）及び図１９（ｂ）に示されているように、ベースプレート２２２の裏面に設けられた正転／逆転可能なＤＣモータからなるスレッドモータ３００と、ベースプレート２２２の上面に垂直に突出したスレッドモータ３００の回転軸３０２に固定されたギアＡ３０４と、このギアＡ３０４と噛合するギアＢ３０６と、このギアＢ３０６の下面に同軸上に一体に形成されたギアＢより小径のギアＣ３０８（図１８（ｂ）参照）と、このギアＣ３０８と噛合するラックギア３１２及びガイドロッド３１４に対するガイドロッド軸受け部２６６を備えたスライダ３１０と、このスライダ３１０を摺動可能に支持するガイドロッド３１４と、光ピックアップ２５０のガイドロッド３１４の反対側の突出部を摺動可能に支持するためのガイドレール３１６とで構成されている。そして、このスライダ３１０に、光ピックアップ２５０が設けられており、その結果光ピックアップ２５０はスライダ３１０の移動に伴ってディスク１００の半径方向に移動可能となっている。また、前記ガイドロッド軸受け部２６６によってスライダ３１０はガイドロッド３１４に摺動可能に支持されている。
【００９１】
これらのギアＡ３０４、ギアＢ３０６、ギアＣ３０８、ラックギア３１２は、それぞれ樹脂等によって形成されており、ラックギア３１２及びガイドロッド３１４は、それぞれ、その長手方向がディスク装置１Ａの前後方向となるように平行に配置されている。
【００９２】
これらのギアＡ３０４、ギアＢ３０６、ギアＣ３０８、ラックギア３１２の組合せにより、光ピックアップ移動機構（スライド送り機構）２７４における減速ギア機構を構成し、スレッドモータ３００の回転を減速した上で光ピックアップ２５０の直線運動に変換している。それにより、光ピックアップ２５０は、スレッドモータ３００を正逆いずれかに回転させることにより、ガイドロッド３１４に沿ってディスク１００の半径方向に移動可能に構成されている。
【００９３】
より詳しく説明すると、スレッドモータ３００及びギアＡ３０４が軸方向上側から見て時計回りに回転すると、ギアＣ３０８が軸方向上側から見て反時計回りに回転し、ラックギア３１２と一体となったスライダ３１０が前方（ターンテーブル２８０の方向）に送られる。その結果、光ピックアップ２５０は、ディスク１００の外周側から内周側に向かって移動する。一方、スレッドモータ３００が逆向きに回転すると、光ピックアップ２５０は、ディスク１００の内周側から外周側に向かって移動する。
【００９４】
スレッドモータ３００は、図１８（ｂ）及び図１９（ａ）に示すように、ベースプレート２２２の右側張り出し部２２６の裏面に設けられており、上面からネジ３１８で結合されている。なお、この結合の際には、スレッドモータ３００のケースに設けられたネジ穴（図示せず）が用いられている。このように結合することにより、スレッドモータ３００をネジ３１８以外の部品を用いることなくベースプレート２２２に取り付けることができるため、取付け作業が容易になっている。
【００９５】
また、このスレッドモータ３００が取り付けられた右側張り出し部２２６と対向する位置にある左側張り出し部２２８には、フィードシャーシ２２０の左右の重心の位置を調節するため、図１９（ａ）に示すように、ウエイト（鉄板）３２０がスレッドモータ３００の重量に合わせて設けられている。
【００９６】
なお、前記ウエイトは、前記右側張り出し部２２６と同様に、前記後方張り出し部２３０にも設けられており、この後方張り出し部２３０に設けられたウエイト２３８によってフィードシャーシ２２０の前後方向の重心の位置が調整されている。
【００９７】
そして、これらのウエイト２３８、３２０を設けることにより、フィードシャーシ２２０の重心の位置を調節することや、フィードシャーシ２２０の重量を増加させることが可能となる。そして、前述したように、この重量の増加により、スピンドルモータ２４０及びディスク１００が回転することによって発生するフィードシャーシ２２０の振動が抑制されるようになっている。なお、このディスク装置１Ａでは、スレッドモータ３００の回転軸３０２を垂直方向にしたり、ウエイト２３８、３２０等を用いることにより、スレッドモータ３００に使用するモータを後述するローディングモータ４６２と共通化している。
【００９８】
以上の光ピックアップ移動機構により、ガイドロッド３１４に沿って光ピックアップ２５０がディスク１００の半径方向に移動する。
【００９９】
光ピックアップ２５０は、図１９（ｂ）に示すように、前記ガイドロッド３１４に摺動可能に連結されたピックアップベース２５２と、前記ピックアップベース２５２に対して揺動自在に支持されたアクチュエータベース２５４と、該アクチュエータベース２５４に一体に設けられたダンパーベース２５６と、該ダンパーベース２５６にサスペンションバネ２５８を介して移動可能に支持されたレンズホルダ２６０と、該レンズホルダ２６０に設けられた対物レンズ２６２とから構成されている。
【０１００】
ピックアップベース２５２は、好ましくは硬質樹脂等で成形されており、図１９（ｂ）に示すように、光ピックアップ２５０を支持するための光ピックアップ載置部２６４と、前記ラックギア３１２が設けられたスライダ３１０と一体に結合されたガイドロッド軸受け部２６６と、前記ガイドレール３１６に摺動可能に係合するガイドレール係合部２６８とを備えている。
【０１０１】
前記ガイドロッド軸受け部２６６は、前記光ピックアップ移動機構のラックギア３１２が設けられたスライダ３１０に固定されており、このスライダ３１０と同様にガイドロッド３１４と平行な方向にのみ移動可能となっている。
【０１０２】
前記ガイドレール係合部２６８は、図２０に示すように、ベースプレート２２２に設けられたガイドレール３１６の上面及び下面に当接する縦断面略コの字型の係合突起部２７０を備えている。そして、この係合突起部２７０がガイドレール３１６に係合することにより、係合突起部２７０のガイドレール３１６に対する上下方向の移動が規制されるようになっており、光ピックアップ２５０の水平姿勢が保たれるようになっている。
【０１０３】
前記光ピックアップ載置部２６４は、光ピックアップ２５０を載置するため、略箱型となっており、その両端は前記ガイドロッド軸受け部２６６及びガイドレール係合部２６８に一体に連結されている。以上のような構成により、ピックアップベース２５２は、ガイドロッド３１４及びガイドレール３１６に案内され、前記フィードシャーシ２２０の前後方向にのみ移動するようになっている。
【０１０４】
なお、このような構造を用いることにより、光ピックアップ２５０を案内するガイドロッドは、ガイドロッド３１４の１本だけで済むので、部品コストを削減でき、また組み立ても容易に行えるようになっている。
【０１０５】
アクチュエータベース２５４（図１９（ｂ）参照）は、ピックアップベース２５２とともに、ディスク１００の半径方向に沿って移動することが可能となっており、レンズホルダ２６０は、サスペンションバネ２５８を介してトラッキング方向及びフォーカッシング方向に揺動することが可能となっている。また、レンズホルダ２６０には、フォーカッシングサーボ用コイル及びトラッキングサーボ用コイルとが設けられており、これらのコイルによって対物レンズ２６２のフォーカッシング制御及びトラッキング制御が行われるようになっている。
【０１０６】
また、この光ピックアップ２５０には、図面には示されていないが、前述した従来の構造と同様に、レーザービームを発するレーザダイオード（ＬＤ）と、前記レーザダイオードからのビームをミラーに向けて反射させるビームスプーリッタと、該ビームスプーリッタからのビームを対物レンズ２６２の方へ向けて反射させるミラーと、ディスク１００から反射されたビームを前記対物レンズ２６２、ミラー及びビームスプーリッタを介して受光し、該ビームの光強度の変化に基づいて電気信号を生成するフォトダイオードとを備えている。
【０１０７】
また、この光ピックアップ２５０には、図１９（ｂ）に示すように、ディスク１００から読み出された信号の他にフォーカスサーボやトラッキングサーボなどの各種制御信号の入出力を行うためのＦＦＣコネクタ２７２が設けられている。このＦＦＣコネクタ２７２には、前記回路基板２００に接続されたＦＦＣ２０４の先端に設けられたＦＦＣ差込部２０６（図１１（ｂ）参照）が差し込まれ、上記各種信号が回路基板２００より光ピックアップ２５０へと供給されるようになっている。なお、ＦＦＣ２０４は、前述したＦＦＣ挟持部材４４０によって回路基板２００に押圧、固定されているとともに、前記押圧部分と光ピックアップ２５０との間に所定の間隙が設けられていることから、この光ピックアップ２５０の移動に伴う位置の変化に関係なく、ＦＦＣ２０４が理想的な湾曲形状を維持するようになっているため、この光ピックアップ２５０の移動が妨げられないようになっている。
【０１０８】
また、上述した光ピックアップ移動機構２７４のスレッドモータ３００は、スピンドルモータ２４０及び後述するローディングモータ４６２と合わせて、回路基板２００に設けられた制御手段（ＣＰＵ）により制御される。
【０１０９】
この場合、このスレッドモータ３００は、始動時に小さな電圧で駆動できるように、コイルに所定間隔で正または負のパルス電圧を加えて、回転軸３０２を微小に振動させておくように制御することが望ましい。このようにすれば、モータの始動時に大きな電圧を加える必要がなく、特に光ピックアップ２５０による読み出しまたは書き込み時において微少送りが必要とされる場合に効果的である。本実施形態のディスク装置１Ａの光ピックアップ移動機構２７４に用いられるような小型モータの場合には、約４０Ｈｚのパルス電圧を加えることが好ましい。
【０１１０】
弾性部材５４０は、ゴムなどの弾性材料から形成されており、図２１に示すように、軸方向の中心孔５４２を有するほぼ円筒状の形状を有している。また、その外周には、円周方向に凹溝５４４が形成されている。この弾性部材５４０は、前記凹溝５４４を用いて前記フィードシャーシ２２０の切り欠き２３４に取り付けられるようになっており、前記中心孔５４２を前記回動フレーム３４０の突部３５４及び前記フィードシャーシ支持部材４００Ｒ・Ｌの突部４０２に挿通させることによって、フィードシャーシ２２０を前記回動フレーム３４０やフィードシャーシ支持部材４００Ｒ・Ｌに取り付けるようになっている。なお、弾性部材５４０は、前記突部３５４、４０２に挿通した状態で、マウントネジ２３５（図３及び図１７参照）により固定される。
【０１１１】
なお、フィードシャーシ２２０が回動する際には、前記フィードシャーシ支持部材４００Ｒ・Ｌの突部４０２に設けられた弾性部材５４０同士を結ぶ線がほぼフィードシャーシ２２０の回動軸となるようになっている。
【０１１２】
そして、これら４つの弾性部材５４０によってフィードシャーシ２２０は、その前方２箇所及び後方２箇所が支持されるようになっているため、後述するスピンドルモータ２４０の回転により発生する振動がローディングシャーシ１２０やケーシング３６０に伝達しないようになっているとともに、ディスク装置１Ａの外部からの振動がフィードシャーシ２２０に伝達しないようになっている。
【０１１３】
前記ローディングシャーシ１２０の前方には、前記回動フレーム３４０を介して、フィードシャーシ２２０を下降位置と上昇位置との間で変位させるとともに（図４参照）、ディスクトレイ１６０を再生位置と着脱位置との間で移動させるためのローディング・カム機構４６０が設けられている。
【０１１４】
前記ローディング・カム機構４６０は、図１３（ｂ）、図２２及び図２３に示すように、ローディングシャーシ１２０の底面に設けられた正転／逆転可能な直流（ＤＣ）モータからなるローディングモータ４６２と、該ローディングモータ４６２の回転軸４６４に取り付けられた第１プーリ４６６と、ベルト４７４を介して該第１プーリ４６６と連動する大径のプーリを有する第２プーリ４６８と、前記第２プーリ４６８の回転をディスクトレイ１６０及びカムホイール４８４に伝達するドライブギア４７６と、前記ドライブギア４７６と噛合し、前記回動フレームを回動させるカムホイール４８４と、該カムホイール４８４のフック５１６に係合し、カムホイール４８４の動きを規制するスイッチアーム５２０とを備えている。
【０１１５】
本実施形態では、これらの第１、第２プーリ４６６、４６８及びドライブギア４７６の組み合わせによりローディング・カム機構４６０におけるローディングモータ４６２の減速機構を構成している。また、本実施形態では減速機構の一部にプーリを用いることにより、異物等のギアへの噛合や、ディスク１００の詰まり等の原因によるローディングモータ４６２への過負荷が防止されるようになっている。
【０１１６】
前記第１プーリ４６６は、樹脂によって成形された小径のプーリであり、前記ローディングモータ４６２の回転軸４６４に固定されている。
【０１１７】
前記第２プーリ４６８は、図２４（ａ）に示すように、樹脂によって成形され、前記第１プーリ４６６とベルト４７４を介して接続される大径のプーリ部４７０と、このプーリ部４７０の同軸上に設けられたギア部４７２とによって構成されている。
【０１１８】
そして、第２プーリ４６８のプーリ部４７０は、図２２及び図２３に示すように、ベルト４７４を介して前記第１プーリ４６６と連動するようになっており、この第１プーリ４６６の回転方向と同一の回転方向に回転するようになっている。また、このプーリ部４７０下側に設けられた前記ギア部４７２は、前記ドライブギア４７６の大ギア４７８と噛合し、ローディングモータ４６２の回転をドライブギア４７６へと伝達するようになっている。
【０１１９】
なお、第２プーリ４６８は、図２２に示すように、後述するカムホイール４８４と同一の回転軸、すなわちカムホイール回転軸４８８を中心に回動するようになっている。このような構造を用いることにより、第２プーリ４６８及びカムホイール４８４の回転軸を共通化することができ、ローディングシャーシ１２０を容易に成形することが可能となっている。
【０１２０】
前記ドライブギア４７６は、図２４（ｂ）に示すように、第２プーリ４６８のギア部４７２と噛合する大ギア４７８と、該大ギア４７８の同軸上かつ下部に設けられ、前記カムホイール４８４のギア部４９２と噛合する小ギア４８２と、該大ギア４７８の同軸上かつ上部に設けられ、ディスクトレイ１６０のラックギア３１２と噛合する中ギア４８０とで構成されている。また、これらのギアは前記第２プーリ４６８と同様に樹脂によって一体に成形されている。
【０１２１】
カムホイール４８４は、カムホイール回転軸４８８（図２２参照）を中心に図２２（ａ）及び図２３（ａ）に示す第１位置と、図２２（ｂ）及び図２３（ｂ）に示す第２位置との間で移動可能に設置されている。そして、前記第１位置では、前記回動フレーム３４０を上昇位置に位置せしめ、前記第２位置では回動フレーム３４０を下降位置に位置せしめるように動作する。
【０１２２】
また、カムホイール４８４は、図２３及び図２５に示されているように、前記カムホイール回転軸４８８を中心に略９０度の円弧状のカム外周面４９０を有するカム部４８６と、前記カム部４８６の上端から約９０度にわたって円弧状に形成されており、後述するドライブギア４７６と噛合するギア部４９２と、前記回動フレーム３４０の突出片３５６やスイッチアーム５２０と係合するロックアーム部５１０とを有している。なお、これらの部材は、前記プーリ及びギアと同様に、樹脂によって一体に成形されている。
【０１２３】
より詳しく説明すると、前記カム部４８６のカム外周面４９０には、図２３に示すように、前記回動フレーム３４０に設けられた第１ガイドピン３４６と係合するカム溝５００が形成されている。カム溝５００は、図２３に示すように、水平方向に延びる上溝５０２及び下溝５０４と、上溝５０２と下溝５０４とを接続する傾斜溝５０６とで構成されている。そして、前記回動フレーム３４０に設けられた第１ガイドピン３４６は、カムホイール４８４が第１位置と第２位置との間で回動すると、このカム溝５００に沿って上下方向に移動するようになっている。すなわち、カムホイール４８４が第１位置に位置する場合、第１ガイドピン３４６は上溝５０２と係合しており（図２３（ａ）参照）、回動フレーム３４０は上昇位置にある。カムホイール４８４が第１位置から第２位置に向かって移動すると、第１ガイドピン３４６は、傾斜溝５０６に沿って下降し、それに伴い回動フレーム３４０も上昇位置から下降位置へ向けて降下する。そして、カムホイール４８４が第２位置に到達すると、第１ガイドピン３４６は下溝５０４に係合し（図２３（ｂ）参照）、回動フレーム３４０は下降位置に変位する。
【０１２４】
また、前記カム外周面４９０は、図２３（ｂ）及び図２５（ｂ）に示すように、下側が拡径となるようなテーパーで傾斜しており、前記回動フレーム３４０が前記下降位置に到達した際に、前記回動フレーム３４０の連結部３４４の第１ガイドピン３４６が設けられた円弧状の面がカム外周面４９０に接触しないようになっている。
【０１２５】
また、このローディング・カム機構４６０には、ディスクトレイ１６０が再生位置にある状態で、停電などによりローディングモータ４６２が作動しなくなった場合に、治具を使用することによって手動にてディスクトレイを排出するためのエマージェンシー排出機構が設けられている。
【０１２６】
具体的には、図２３（ｂ）及び図２５（ｂ）に示すように、カム部４８６の後述するギア部４９２側の端面に押圧溝５１８が設けられており、この押圧溝５１８をフロントベゼル３９０に設けられた挿入孔３９４から挿入された治具によって押圧することにより、カムホイール４８４を図２２中の時計方向に回転させることができ、それによってフィードシャーシ２２０を上昇位置から下降位置へと変位させ、ディスクトレイ１６０の先端をケーシング３６０の内部から外側に排出させることができるようになっている。また、この押圧溝５１８を溝状の形状にすることにより、治具によって押圧する際、治具の先端が押圧部分から離脱することが防止されるようになっている。
【０１２７】
また、カム部４８６の上側には、図２３に示すように、前記ディスクトレイ１６０に設けられた規制溝１７６に係合し、カムホイール４８４の回動を規制するための規制ピン５０８が設けられている。
【０１２８】
前記ギア部４９２は、図２５（ａ）に示すように、カムホイール回転軸４８８を中心に略９０度にわたり円弧状の歯が形成されており、カムホイール回転軸４８８から半径方向またはそれと平行な方向に延びる端面４９４を有している。また、この端面４９４には、下側に傾斜面４９８を有するスイッチ突起４９６が設けられている。このスイッチ突起４９６は、このカムホイール４８４が回動し、図２２（ａ）に示した第１位置に到達した際に、その下側に設けられた傾斜面４９８（図２５（ｂ）参照）によって、ローディングシャーシ１２０の底部から突出したディスクトレイ閉スイッチ４２６（図１０（ａ）参照）を押圧するようになっている。
【０１２９】
前記ロックアーム部５１０は、図２２、図２３及び図２５に示すように、前記カム部４８６から略接線方向に延出しており、ロック片５１２と、フック５１６とを有している。ロック片５１２は、前述したように、前記回動フレーム３４０が上昇位置に到達した際に、カムホイール４８４の回動によって前記回動フレーム３４０の前方に設けられた突出片３５６の下側に位置するようになっており（図１４（ｃ）及び図２３（ａ）参照）、該突出片３５６と当接することにより回動フレーム３４０を上昇位置にて保持するための部材である。このロック片５１２は、回動フレーム３４０の突出部３５６を上方向に案内する傾斜面５１４を有している。また、前記フック５１６は、図２２（ｂ）に示すように、ディスクトレイ１６０が完全に着脱位置に到達した際に、後述するスイッチアーム５２０に設けられたフック５３４と係合することにより、カムホイール４８４の回動を規制し、図２２（ｂ）に示した第２位置でロックする。
【０１３０】
前記スイッチアーム５２０は、樹脂によって成形されており、図２６に示すように、カムホイール４８４を前記第２の位置でロックするため、前記カムホイール４８４のフック５１６と係合するフック５３４を有する第１アーム５２２と、後述するディスクトレイ開スイッチ４２４を押圧するための第２アーム５２４と、前記第１アーム５２２及び第２アーム５２４を結合する基部５２６と、該基部５２６から下方へと延出し、該スイッチアーム５２０をローディングシャーシ１２０へと取り付けるための２本の脚部５２８とを有している。
【０１３１】
前記第１アーム５２２は、図２６に示すように、前記カムホイール４８４のフック５１６と係合するフック５３４をその先端に有している。また、該フック５３４の上方には、前記ディスクトレイ１６０がディスク再生位置に位置する際に、前記ディスクトレイ１６０の裏面の第１リブ１８６によって押圧される傾斜面５３６が設けられており、該傾斜面５３６が前記第１リブ１８６によって押圧されることにより、第１アーム５２２のフック５３４によるカムホイール４８４のロックが解除されるようになっている。また、前記第１アーム５２２の前部は、前記ローディングシャーシ１２０の内壁面に当接しており（図２２参照）、後方にのみ弾性変形可能となっている。
【０１３２】
前記第２アーム５２４は、図２６（ｂ）及び（ｃ）に示すように、ローディングシャーシ１２０に設けられたディスクトレイ開スイッチ４２４を押圧するためのスイッチ押圧ロッド５３０をその先端に有している。また、該スイッチ押圧ロッド５３０の上面には、傾斜面５３２が設けられている。この傾斜面５３２によって、ディスクトレイ１６０が着脱位置に位置した際に、前記ディスクトレイ１６０の底面に設けられた第１リブ１８６が、前記スイッチ押圧ロッド５３０の上方へ位置するようになっており、それによってスイッチ押圧ロッド５３０が下方へ押圧され、ディスクトレイ開スイッチ４２４の押圧がなされるようになっている。
【０１３３】
なお、前記第１アーム５２２の後方及び第２アーム５２４の下方には、各アームの過度な弾性変形を防止するため、金属製の板ばね等を設けることが好ましい。
【０１３４】
次に、ディスク装置１Ａの動作について説明する。
【０１３５】
ディスク装置１Ａの非使用時には、空のディスクトレイ１６０は、ディスク再生位置にあり（図４（ｂ）参照）、ケーシング３６０内に収納されている。このとき、ディスクトレイ１６０は、前記ローディングシャーシ１２０によって図４（ｂ）に示すように、その前方部分のみが支持されるようになっている。この状態では、フィードシャーシ２２０は上昇位置にあり、またカムホイール４８４は図２２（ａ）及び図２３（ａ）に示す第１位置にあり、回動フレームに設けられた第１ガイドピン３４６はカムホイール４８４のカム溝５００の上溝５０２に位置している。また、カムホイール４８４のロック片５１２は、上昇位置にある回動フレーム３４０の突出片３５６の下側に位置しており、カムホイール４８４の規制ピン５０８は、ディスクトレイ１６０の第３規制溝１８２（図１６（ａ）参照）に位置している。一方、ローディング・カム機構４６０のドライブギア４７６は、ディスクトレイ１６０の底面に設けられたラックギア１９６と離間した状態で位置しており、該ラックギア１９６と噛合していない。
【０１３６】
この状態でイジェクト操作を行なうと、ローディングモータ４６２が図２２（ａ）中時計方向に回転し、減速機構を介してカムホイール４８４も同様に時計方向に回転する。また、このとき、ドライブギア４７６は、反時計方向に回転する。そして、このカムホイール４８４の時計方向への回転に伴い、回動フレーム３４０が下降し、ディスクトレイ１６０が前方へと移動する。
【０１３７】
より詳しくは、カムホイール４８４の時計方向への回転によって回動フレーム３４０の突出片３５６の下側からロック片５１２が外れ、回動フレーム３４０が下降可能な状態になる。そして、第１ガイドピン３４６は、上溝５０２、傾斜溝５０４、下溝５０４の順に案内され、図２３（ｂ）に示すように、下溝５０４へと移動する。それによって回動フレーム３４０及びフィードシャーシ２２０が下降位置へと移動する。
【０１３８】
また、カムホイール４８４のカム部４８６に設けられた規制ピン５０８は、カムホイール４８４の時計方向の回転によって、ディスクトレイ１６０の底面（図１６（ａ）参照）に設けられた第３規制溝１８２から第２規制溝１８０へと移動し、この第２規制溝１８０の中を移動する。この規制ピン５０８の第２規制溝１８０中の移動により、ディスクトレイ１６０は前方へ押し出される。このディスクトレイ１６０の前方への移動により、ディスクトレイ１６０底面のラックギア３１２が、ローディング・カム機構４６０のドライブギア４７６の中ギア４８０と噛合し、ディスクトレイ１６０は、再生位置から着脱位置へと移動する。そして、ディスクトレイ１６０が着脱位置に到達すると、ディスクトレイ１６０の底面に設けられた第１リブ１８６によってスイッチアーム５２０のスイッチ押圧ロッド５３０上部が押圧され、ディスクトレイ開スイッチ４２４が押圧されてＯＦＦとなる。これにより、ローディングモータ４６２の駆動が停止する。
【０１３９】
また、その際、カムホイール４８４は、図２２（ｂ）に示すように、フック５３４によって第２位置で固定される。なお、カムホイール４８４が第２位置に到達した際には、ドライブギア４７６の小ギア４８２とカムホイール４８４のギア部４９２とが離間し、噛合しない状態となる。
【０１４０】
一方、フロントベゼル３９０の開口３９６から引き出されたディスクトレイ１６０のディスク載置部１６２にディスク１００を載置し、ローディング操作を行なうと、ローディングモータ４６２が前記と逆方向（図２２（ｂ）中反時計方向）に回転し、減速機構を介してドライブギア４７６が図８（ｂ）中時計方向に回転する。これに伴い、ディスクトレイ１６０が後方（ディスク装置１Ａの奥側）へと移動し、前記ディスク再生位置まで移動する。これにより、ディスクトレイ１６０に位置決めされた状態で載置されたディスク１００も、ケーシング３６０内のディスク再生位置へ搬送される。
【０１４１】
ディスクトレイ１６０のローディング中、すなわち後方への移動中は、ドライブギア４７６の中ギア４８０はディスクトレイ１６０底面のラックギア１９６と係合しており、このドライブギア４７６の中ギア４８０によってディスクトレイ１６０が後方へと搬送される。
【０１４２】
ディスクトレイ１６０がディスク再生位置に接近すると、ディスクトレイ１６０の底面に形成された第２リブ１８８がスイッチアーム５２０のフック５３４に設けられた傾斜面５３６（図２６参照）を後方へ押圧する。この動作により、フック５３４によるカムホイール４８４のロックが解除され、カムホイール４８４は回動可能な状態になる。そして、カムホイール４８４の規制ピン５０８がディスクトレイ１６０の裏面に設けられた第１規制溝１７８（図１６（ａ）参照）に到達すると、この規制ピン５０８は、第１規制溝１７８、第２規制溝１８０の順に案内され、カムホイール４８４は、反時計方向に回転する。この回転により、カムホイール４８４のギア部４９２は、ドライブギア４７６の小ギア４８２と噛合するようになる。
【０１４３】
カムホイール４８４のギア部４９２がドライブギア４７６の小ギア４８２と噛合すると、カムホイール４８４はドライブギア４７６に連動し、第2位置から第1位置に向かって回転する。そして、この回転に伴い、第１ガイドピン３４６がカム溝５００に沿って移動し、前記回動フレーム３４０及びフィードシャーシ２２０は、カム溝５００に案内されて上昇位置に達し、カムホイール４８４のロック片５１２が回動フレーム３４０の突出片３５６の下部に移動する。この時、カムホイール４８４のピン４４は、第３規制溝１８２中を移動する。これにより回動フレーム３４０は、上昇位置にてロックされる。
【０１４４】
また、カムホイール４８４が第１位置に到達すると、カムホイール４８４のギア部４９２の端面４９４に設けられたスイッチ突起４９６がディスクトレイ閉スイッチ４２６を押圧するようになっており、このディスクトレイ閉スイッチ４２６の操作によってローディングモータ４６２の駆動が停止するようになっている。なお、カムホイール４８４の規制ピン５０８が第２規制溝１８０に到達すると、ドライブギア４７６の中ギア４８０は、ディスクトレイ１６０のラックギア１９６から離脱し、ラックギア１９６に噛合しなくなり、ディスクトレイ１６０は停止する。
【０１４５】
また、ディスクトレイ１６０がディスク再生位置に接近すると、図１７（ａ）に示すように、フィードシャーシ２２０の後方に設けられた案内バネ２３６によりディスクトレイ１６０の後端が上方に案内され、ディスクトレイ１６０がディスク再生位置に到達すると、ディスクトレイ１６０の後端に設けられた係合部１９２がアウターカバー３６２の被係合部３７４に当接し、図１７（ｂ）に示すように、ディスクトレイ１６０の後端の上下方向の支持及び位置決めがなされる。
【０１４６】
そして、ディスク再生位置に到達したディスク１００の中心孔１０２に、前記カムホイール４８４によって上昇位置に到達したフィードシャーシ２２０のターンテーブル２８０のセンターハブ２８２が係合する。そして、アウターカバー３６２に設けられたディスククランパ３７６がターンテーブル２８０の永久磁石２８４に吸着され、それらの間にディスク１００が挟持される。
【０１４７】
この状態で再生スイッチなどが操作されると、スピンドルモータ２４０の回転とともにターンテーブル２８０も回転する。その回転に伴って、ディスク１００も回転し、ディスク１００の再生またはディスク１００への書き込みが行われる。また、ディスク１００の再生が終了あるいは中止してディスク１００を取り出す場合には、所定のスイッチなどを操作してディスク１００のイジェクト（アンローディング）が行われる。このイジェクトの動作の際には以上の動作が逆の順序で行われる。
【０１４８】
最後に、本発明のディスク装置１Ａの組立て方法について詳述する。
【０１４９】
１：ボトムカバー３８０に、フィードシャーシ支持部材４００Ｒ・Ｌを取り付ける。この際、フィードシャーシ支持部材４００Ｒ・Ｌとボトムカバー３８０とは、両者に設けられた係合突起４０８や取付け部３８６の嵌合により結合され、相互にほぼ移動不能な状態となる。
【０１５０】
２：ボトムカバー３８０に回路基板２００を載置する。より詳しくは、まずフィードシャーシ支持部材４００Ｒの案内突条４０４Ｒに回路基板２００の案内凹部２０２Ｒを係合させる。次に、その係合部を回転軸としてこの回路基板２００を回転させ、フィードシャーシ支持部材４００Ｒ・Ｌ上に載置する。この際、フィードシャーシ支持部材４００Ｌの案内突条４０４Ｌに回路基板の案内凹部２０２Ｌを係合させ、案内させることにより、回路基板２００をフィードシャーシ支持部材４００Ｒ・Ｌ上に容易に載置することができるようになっている。さらに、回路基板２００をフィードシャーシ支持部材４００Ｌ側へスライドさせることにより回路基板２００の左側の端部をフィードシャーシ支持部材４００Ｌの係合凹部４０６に係合させ（図５（ｃ）参照）、回路基板２００の端部が、フィードシャーシ支持部材４００Ｌに設けられた係合凹部４０６によって位置決めされた後に、回路基板２００を回路基板２００に設けられた２箇所の回路基板固定部３８８にネジによって固定する。
【０１５１】
３：回路基板２００にＦＦＣ４３０によって接続された操作スイッチ用基板４２０をローディングシャーシ１２０の底面に取り付け、ローディングシャーシ１２０をボトムカバー３８０に固定する。その際、ローディングシャーシ１２０の左右の壁面に設けられた係合突起１４４と、ボトムカバー３８０に設けられた係合孔３８４とを係合させることによって、ローディングシャーシ１２０は、ボトムカバー３８０に相互にほぼ移動不能な状態で固定される。
【０１５２】
４：スピンドルモータ２４０に取り付けられたＦＦＣ２４６を回路基板２００に設けられたＦＦＣコネクタへ、回路基板２００に設けられたＦＦＣ２０４をフィードシャーシ２２０に設けられた光ピックアップ２５０のＦＦＣコネクタ２７２へと取り付ける。
【０１５３】
５：ローディングシャーシ１２０に取り付けられた回動フレーム３４０に設けられた突部３５４及びフィードシャーシ支持部材４００Ｒ・Ｌに設けられた突部４０２に、フィードシャーシ２２０をベースプレート２２２の切り欠き２３４に予め取り付けられた弾性部材５４０を介して取付け、これらの弾性部材５４０をマウントネジ２３５によってフィードシャーシ支持部材４００Ｒ・Ｌ及び回動フレーム３４０に取り付ける。
【０１５４】
６：ローディングシャーシ１２０にディスクトレイ１６０を取り付ける。この際、ディスクトレイ１６０の段部１６６と、ローディングシャーシ１２０の上面支持部材１３６とを係合させるとともに、ローディングシャーシ１２０のガイド突起１３８をディスクトレイ１６０のガイド溝１７４の上に位置させ、ディスクトレイ１６０を後方にスライドさせる。
【０１５５】
７：アウターカバー３６２をボトムカバー３８０に取り付けた後に、このケーシング３６０を上下反転させ、ボトムカバー３８０側からネジによって前記操作スイッチ用基板４２０及びアウターカバー３６２をボトムカバー３８０に取り付ける。
【０１５６】
８：フロントベゼル３９０をケーシング３６０の前面に取付け、ディスクトレイカバー３９８をディスクトレイ１６０に取り付ける。
【０１５７】
以上のように組立てることにより、ディスク装置１Ａの内部構造をなすフィードシャーシ支持部材４００Ｒ・Ｌ、回路基板２００、操作スイッチ用基板４２０、ローディングシャーシ１２０、フィードシャーシ２２０及びディスクトレイ１６０がすべてボトムカバー３８０に対して固定され、ケーシング３６０を上下反転した際にそれぞれの部品がボトムカバー３８０から外れないようになっているとともに、フィードシャーシ２２０を除くすべての部品がボトムカバー３８０に対して係合やネジ結合によって固定できるようになっている。そして、このような構造を用いることにより、ボトムカバー３８０に対する部品の取付け作業が容易になっている。
【０１５８】
また、ケーシング３６０を一度上下反転させ、ネジ止めする一工程により、回路基板２００、ローディングシャーシ１２０等の部品とアウターカバー３６２のすべてをボトムカバー３８０に固定することができ、ケーシング３６０を何度も上下反転させることなくすべての部品の組み付けをすることが可能となっているため、組立作業が容易になっている。
【０１５９】
以上、本発明のディスク装置１Ａの構造を説明したが、本発明は前述した実施形態に限定されるものではなく、種々の改良や改変が可能である。また、本発明は、ＣＤ−ＲＯＭドライブ、ＤＶＤドライブなどの光ディスク装置以外の他のディスク装置に応用できることは言うまでもない。
【図面の簡単な説明】
【０１６０】
【図１】図１は、本発明のディスク装置の全体構成を示す斜視図である。
【図２】図２は、本発明のディスク装置の全体構成を示す分解斜視図である。
【図３】図３は、ケーシングのアウターカバーを取り除いたディスク装置の平面図である。
【図４】図４は、図３に示されたディスク装置の右側からの側面図であり、図４（ａ）は、ディスクトレイがディスク着脱位置にあり、フィードシャーシが下降位置にある状態を示した図であり、図４（ｂ）は、ディスクトレイが再生位置にあり、フィードシャーシが上昇位置にある状態を示した図である。
【図５】図５（ａ）及び（ｂ）は、それぞれ、ボトムカバー及び該ボトムカバーに取り付けられたフィードシャーシ支持部材の上面図、後面図であり、図５（ｃ）は、フィードシャーシ支持部材４００Ｌの前面図である。
【図６】図６（ａ）及び（ｂ）は、アウターカバーの底面図及び前面図でる。
【図７】図７は、ディスクを載置したディスクトレイが着脱位置と再生位置を移動する際のディスク、ディスクトレイ、ケーシング及び該ケーシングに設けられたディスクストッパの位置関係が模式的に示された側面図であり、図７（ａ）は、ディスクトレイの移動時における各部材の位置関係を示しており、図７（ｂ）は、ディスクトレイが再生位置にある時の各部材の位置関係を示しており、図７（ｃ）は、ディスクトレイのディスク載置位置からディスクが離脱した際の各部材の位置関係を示しており、図７（ｄ）は、ディスクストッパが設けられていない構造において、図７（ｃ）と同様にディスクが離脱した際の各部材の位置関係を示したものである。
【図８】図８は、フィードシャーシ支持部材及び該フィードシャーシ支持部材が取り付けられるボトムカバーの取付け部の斜視図であり、図８（ａ）は、フィードシャーシ支持部材４００Ｒを示しており、図８（ｂ）は、フィードシャーシ支持部材４００Ｌを示している。
【図９】図９は、メイン回路基板の上面図である。
【図１０】図１０は、操作スイッチ用基板の斜視図である。
【図１１】図１１は、メイン回路基板に取り付けられたＦＦＣに対し、ＦＦＣ挟持部材を取り付けた様子を示した図であり、図１１（ａ）は、その側面図、図１１（ｂ）は、その斜視図である。
【図１２】図１２（ａ）ないし（ｅ）は、それぞれ、ＦＦＣ挟持部材の上面図、前面図、後面図、側面図、底面図である。
【図１３】図１３（ａ）及び（ｂ）は、ローディングシャーシの上面図及び底面図である。
【図１４】図１４（ａ）ないし（ｃ）は、それぞれ、回動フレームの上面図、前面図、左側からの側面図である。
【図１５】図１５（ａ）ないし（ｃ）は、それぞれ、ディスクトレイの上面図、側面図、Ａ−Ａ´線断面図である。
【図１６】図１６（ａ）及び（ｂ）は、それぞれ、ディスクトレイの底面図及び後面図である。
【図１７】図１７は、ディスクトレイに設けられた後端支持部の係合部と、ケーシングに設けられた被係合部とがディスクトレイの移動によって係合する様子を模式的に示した側面図であり、図１７（ａ）は、前記係合部と被係合部とが係合する直前の様子が示されており、図１７（ｂ）は、前記係合部と被係合部とが係合している様子が示されている。
【図１８】図１８（ａ）及び（ｂ）は、それぞれ、フィードシャーシの上面図及び右側からの側面図である。
【図１９】図１９（ａ）は、フィードシャーシの底面図であり、図１９（ｂ）は、フィードシャーシに設けられた光ピックアップ移動機構の上面図である。
【図２０】図２０は、光ピックアップ移動機構のガイドレールと、該ガイドレールに係合するガイドレール係合部の係合の様子を示した側面図である。
【図２１】図２１（ａ）ないし（ｃ）は、それぞれ、フィードシャーシに設けられる弾性部材の斜視図、上面図、側面図である。
【図２２】図２２（ａ）及び（ｂ）は、ローディングシャーシにローディング・カム機構を設けた状態の上面図であり、図２２（ａ）は、カムホイールが第１位置に位置した状態をしており、図２２（ｂ）は、カムホイールが第２位置に位置した状態を示している。
【図２３】図２３は、ローディング・カム機構に用いられる第1プーリ、第2プーリ、ベルト、ドライブギア及びカムホイールの位置関係を示す斜視図であり、図２３（ａ）は、カムホイールが第１位置に位置した状態を示しており、図２３（ｂ）は、カムホイールが第2位置に位置した状態を示している。
【図２４】図２４（ａ）及び（ｂ）は、それぞれ、ローディング・カム機構に用いられる第２プーリの側面図、ドライブギアの側面図である。
【図２５】図２５（ａ）及び（ｂ）は、それぞれ、カムホイールの上面図、同ギア部側からの側面図である。
【図２６】図２６（ａ）ないし（ｃ）は、それぞれ、スイッチアームの上面図、フック側からの側面図、後面図である。
【図２７】図２７は、従来のディスク装置の全体構成を示す斜視図である。
【図２８】図２８は、従来のディスク装置の全体構成を示す分解斜視図である。
【符号の説明】
【０１６１】
１Ａ    ディスク装置（本発明）
１Ｂ    ディスク装置（従来構造）
３      ディスク
５      ディスクトレイ
１０    ケーシング
１０ａ  ボトムカバー
１０ｂ  アウターカバー
１１    プリント回路基板
１１ａ  挿通孔
１１ｂ  挿通孔
３０    光ピックアップ
４０    シャーシ
４０ａ  底部
４１    開口
４２    機構ユニット
４５ｂ  スレッドモータ
４５ｃ  ＦＦＣ
４５ｄ  コネクタ
４５ｅ  コネクタ
４６    ターンテーブル
１００  ディスク
１０２  中心孔
１２０  ローディングシャーシ
１２２  底部
１２４  回動フレーム収納スペース
１２６  内壁面
１２８  側面
１３０  軸受け部
１３２  上下案内溝
１３４  収納部
１３６  上面支持部材
１３８  ガイド突起
１４０  スイッチ孔
１４２  壁部
１４４  係合突起
１６０  ディスクトレイ
１６２  ディスク載置部
１６４  開口
１６６  段部
１６８  ディスク保持片
１７０  支持端
１７２  ディスクトレイ排出位置規制突起
１７４  ガイド溝
１７６  規制溝
１７８  第１規制溝
１８０  第２規制溝
１８２  第３規制溝
１８４  開放端部
１８６  第１リブ
１８８  第２リブ
１９０  後部支持部
１９２  係合部
１９４  弾性部
１９６  ラックギア
２００  メイン回路基板
２０２  案内凹部
２０４  ＦＦＣ
２０６  ＦＦＣ差込部
２０８  離脱防止孔
２１０  孔部
２２０  フィードシャーシ
２２２  ベースプレート
２２４  前方張り出し部
２２６  右側張り出し部
２２８  左側張り出し部
２３０  後方張り出し部
２３２  開口
２３４  切り欠き
２３５  マウントネジ
２３６  案内バネ
２３８  ウエイト
２４０  スピンドルモータ
２４２  回転軸
２４６  ＦＦＣ
２５０  光ピックアップ
２５２  ピックアップベース
２５４  アクチュエータベース
２５６  ダンパーベース
２５８  サスペンションバネ
２６０  レンズホルダ
２６２  対物レンズ
２６４  光ピックアップ載置部
２６６  ガイドロッド軸受け部
２６８  ガイドレール係合部
２７０  係合突起部
２７２  ＦＦＣコネクタ
２７４  光ピックアップ移動機構
２８０  ターンテーブル
２８２  センターハブ
２８４  永久磁石
２８６  パッド
３００  スレッドモータ
３０２  回転軸
３０４  ギアＡ
３０６  ギアＢ
３０８  ギアＣ
３１０  スライダ
３１２  ラックギア
３１４  ガイドロッド
３１６  ガイドレール
３１８  ネジ
３２０  ウエイト
３４０  回動フレーム
３４２  アーム
３４４  連結部
３４６  第１ガイドピン
３４８  第２ガイドピン
３５０  押圧部材
３５２  フィードシャーシ支持部
３５４  突部
３５６  突出片
３５８  軸
３６０  ケーシング
３６２  アウターカバー
３６４  天板部
３６６  右側板部
３６８  左側板部
３７０  後板部
３７２  ディスクストッパ
３７４  被係合部
３７６  ディスククランパ
３７８  突起部
３８０  ボトムカバー
３８２  折り曲げ片
３８４  係合孔
３８６  取付け部
３８８  回路基板固定部
３９０  フロントベゼル
３９２  イジェクトボタン
３９４  挿入孔
３９６  開口
３９８  ディスクトレイカバー
４００  フィードシャーシ支持部材
４０２  突部
４０４  案内突条
４０６  係合凹部
４０８  係合突起
４２０  操作スイッチ用基板
４２２  ディスクトレイ開閉スイッチ
４２４  ディスクトレイ開スイッチ
４２６  ディスクトレイ閉スイッチ
４２８  イジェクトスイッチ
４３０  ＦＦＣ
４４０  ＦＦＣ挟持部材
４４２  上部片
４４４  下部片
４４６  連結部
４４８  透孔
４５０  離脱防止突起
４６０  ローディング・カム機構
４６２  ローディングモータ
４６４  回転軸
４６６  第１プーリ
４６８  第２プーリ
４７０  プーリ部
４７２  ギア部
４７４  ベルト
４７６  ドライブギア
４７８  大ギア
４８０  中ギア
４８２  小ギア
４８４  カムホイール
４８６  カム部
４８８  カムホイール回転軸
４９０  カム外周面
４９２  ギア部
４９４  端面
４９６  スイッチ突起
４９８  傾斜面
５００  カム溝
５０２  上溝
５０４  下溝
５０６  傾斜溝
５０８  規制ピン
５１０  ロックアーム部
５１２  ロック片
５１４  傾斜面
５１６  フック
５１８  押圧溝
５２０  スイッチアーム
５２２  第１アーム
５２４  第２アーム
５２６  基部
５２８  脚部
５３０  スイッチ押圧ロッド
５３２  傾斜面
５３４  フック
５３６  傾斜面
５４０  弾性部材
５４２  中心孔
５４４  凹溝
【図１】
2008262688.tif 000003
【図２】
2008262688.tif 000004
【図３】
2008262688.tif 000005
【図４】
2008262688.tif 000006
【図５】
2008262688.tif 000007
【図６】
2008262688.tif 000008
【図７】
2008262688.tif 000009
【図８】
2008262688.tif 000010
【図９】
2008262688.tif 000011
【図１０】
2008262688.tif 000012
【図１１】
2008262688.tif 000013
【図１２】
2008262688.tif 000014
【図１３】
2008262688.tif 000015
【図１４】
2008262688.tif 000016
【図１５】
2008262688.tif 000017
【図１６】
2008262688.tif 000018
【図１７】
2008262688.tif 000019
【図１８】
2008262688.tif 000020
【図１９】
2008262688.tif 000021
【図２０】
2008262688.tif 000022
【図２１】
2008262688.tif 000023
【図２２】
2008262688.tif 000024
【図２３】
2008262688.tif 000025
【図２４】
2008262688.tif 000026
【図２５】
2008262688.tif 000027
【図２６】
2008262688.tif 000028
【図２７】
2008262688.tif 000029
【図２８】
2008262688.tif 000030